(57)【要約】  モバイル電子デバイスが、使用目的を実行するように構成され、使用目的に加えて金融取引を実施するように更に構成される。本デバイスは、使用目的の実行を容易にするように構成された電子回路の第１のグループと；金融取引を実施するように構成された電子回路の第２のグループを含む。電子回路の第１のグループは、電子回路の第２のグループから、通信に関して分離される。【選択図】図１
2019502984.tif 000002
【特許請求の範囲】
【請求項１】
使用目的を実行するように構成され、前記使用目的に加えて金融取引を実施するように更に構成されたモバイル電子デバイスであって、当該デバイスが：
前記使用目的の前記実行を容易にするように構成された電子回路の第１のグループと；
前記金融取引を実施するように構成された電子回路の第２のグループと、を含み、
電子回路の前記第１のグループが、電子回路の前記第２のグループから、通信に関して分離される、デバイス。
【請求項２】
電子回路の前記第１のグループへ／からの入出力を可能にする場合、電子回路の前記第２のグループへ／からの入出力が拒否される、請求項１に記載のデバイス。
【請求項３】
電子回路の前記第２のグループは、ＥＭＶ（Ｅｕｒｏｐａｙ、Ｍａｓｔｅｒｃａｒｄ、Ｖｉｓａ）規格の集積回路を含んで、前記ＥＭＶ決済規格を用いた金融取引を実施する、請求項１又は２に記載のデバイス。
【請求項４】
電子回路の前記第２のグループは、その中に電子チップを着脱自在に収容するのに適合した電子ドックを含み、前記電子チップが、前記第２のグループの前記電子回路の一部又は全部を含む、請求項１に記載のデバイス。
【請求項５】
電子回路の前記第１のグループへ／から入出力を可能にする第１の操作モードと、電子回路の前記第２のグループへ／から入出力を可能にする第２の操作モードとの間の切り換え用スイッチを更に備える、請求項２に記載のデバイス。
【請求項６】
電子回路の前記第２のグループからその入出力を可能にすると同時に、電子回路の前記第１のグループへ／から入出力を可能にする、請求項１に記載のデバイス。
【請求項７】
電子回路の前記第１のグループが、近距離無線通信（ＮＦＣ）受信機を備え、電子回路の前記第２のグループが、ＮＦＣ送信機を備え、更に、電子回路の前記第２のグループが、ＮＦＣ通信を介して電子回路の前記第１のグループにデータを伝達するように操作可能である、請求項１に記載のデバイス。
【請求項８】
電子回路の前記第１のグループが、論理的仮想マシンアーキテクチャを経由して、電子回路の前記第２のグループから、通信に関して分離される、請求項１に記載のデバイス。
【請求項９】
電子回路の前記第１のグループが、物理的分割によって、電子回路の前記第２のグループから通信に関して分離される、請求項１に記載のデバイス。
【請求項１０】
電子回路の前記第２のグループが、前記金融取引を認証するためのワンタイムパスコード（ＯＴＰ）を生成するように操作可能である、請求項１に記載のデバイス。
【請求項１１】
電子回路の前記第２のグループが、前記金融取引を認証するためのワンタイムパスコード（ＯＴＰ）を生成するように作動可能である、請求項７に記載のデバイス。
【請求項１２】
電子回路の前記第２のグループが、ＮＦＣ通信を介して、ＯＴＰを電子回路の前記第１のグループに発信するように操作可能である、請求項１１に記載のデバイス。
【発明の詳細な説明】
【技術分野】
【０００１】
本発明は、金融取引を実施するためのモバイルデバイス及びシステムに関する。本発明は、電子決済方法を備えた専用のアプリケーションではないが特色を有する。
【背景技術】
【０００２】
人々が１つ以上のクレジットカード、デビットカード、又は他の電子決済カードを所有することは珍しくない。複数の電子決済カードを所有することは、必然的に、個人がそのようなカードをそれぞれ携帯しなければならなくなる。しかしながら、複数のカードを携帯することは、不都合である。
【０００３】
複数のカードを携帯することへの解決策は、１枚のカードごとに提供される各決済方式に対して１つのプライマリアカウント番号（ＰＡＮ）を単一のカードに複数埋め込むことである。しかしながら、このような解決策は、各決済方式（例えば、Ｖｉｓａ（登録商標）、Ｍａｓｔｅｒｃａｒｄ（登録商標）、Ａｍｅｒｉｃａｎ  Ｅｘｐｒｅｓｓ（登録商標）など）が協働し、共同することに同意することを必要とする。個々のブランディング及びアイデンティティを維持し、促進することを望む各方式を含む、様々な理由のために、このような解決策は、実行不可能である。
【先行技術文献】
【特許文献】
【０００４】
【特許文献１】国際公開第２０１２／１０６７５７号
【発明の概要】
【発明が解決しようとする課題】
【０００５】
本発明の目的は、デジタル及び／又は論理的電子決済カードをその中に確実に組み込んで一体化し、カードが、既存の電子金融システムを用いて多くの異なる決済方式を介して電子決済を容易にするように操作可能である、モバイルデバイス及びシステムを提供することである。
【課題を解決するための手段】
【０００６】
一態様では、本発明は、使用目的を実行するように構成され、更に使用目的に加えて金融取引を実施するように構成されるモバイル電子デバイスに広く存在し、デバイスは
使用目的の実行を容易にするように構成された電子回路の第１のグループと、金融取引を実施するように構成された電子回路の第２のグループと、を含み、電子回路の第１のグループは、電子回路の第２のグループから、通信に関して分離される。
【０００７】
好ましくは、電子回路の第１のグループへ／からの入出力を可能にする場合、電子回路の第２のグループへ／からの入出力が拒否される。
【０００８】
電子回路の第２のグループは、ＥＭＶ決済規格を用いた金融取引を実施するために、ＥＭＶ（Ｅｕｒｏｐａｙ、Ｍａｓｔｅｒｃａｒｄ、Ｖｉｓａ）規格の集積回路を含むことが好ましい。
【０００９】
電子回路の第２のグループは、その中に電子チップを着脱自在に収容するのに適合した電子ドックを含み、電子チップが、第２のグループの電子回路の一部又は全部を含むことが好ましい。
【００１０】
好ましい実施形態では、デバイスは、電子回路の第１のグループへ／から入出力を可能にする第１の操作モードと、電子回路の第２のグループへ／から入出力を可能にする第２の操作モードとの間の切り換え用スイッチを更に含む。
【００１１】
請求項１に記載のデバイスは、電子回路の第２のグループからその入出力を可能にすると同時に、電子回路の第１のグループへ／から入出力を可能にする。
【００１２】
好ましくは、電子回路の第１のグループが、近距離無線通信（ＮＦＣ）受信機を備え、電子回路の第２のグループが、ＮＦＣ送信機を備え、更に、電子回路の第２のグループが、ＮＦＣ通信を介して電子回路の第１のグループにデータを伝達するように操作可能である。
【００１３】
好ましくは、電子回路の第１のグループが、論理的仮想マシンアーキテクチャを経由して、電子回路の第２のグループから、通信に関して分離される。
【００１４】
別の形態では、電子回路の第１のグループが、物理的分離によって、電子回路の第２のグループから通信に関して分離される。
【００１５】
好ましくは、電子回路の第２のグループが、金融取引を認証するためのワンタイムパスコード（ＯＴＰ）を生成するように操作可能である。
【００１６】
好ましくは、電子回路の第２のグループが、金融取引を認証するためのワンタイムパスコード（ＯＴＰ）を生成するように操作可能である。
【００１７】
好ましくは、電子回路の第２のグループが、ＮＦＣ通信を介して、ＯＴＰを電子回路の第１のグループに発信するように操作可能である。
【００１８】
上記の態様、変形形態、及び選択肢は、本発明の範囲内で、単独で、又は、お互いに組み合わせて、構成可能であるとして理解されよう。
【００１９】
本発明をより容易に理解し得るために、ここで、本発明の好ましい実施形態を例示する添付の図面が参照される。
【図面の簡単な説明】
【００２０】
【図１】本発明によるマルチ方式決済システムを例示する。
【図２Ａ】本発明の好ましい実施形態による、デジタル／論理的決済カード、及びデジタル／論理的決済カードを一体化したモバイル電子デバイスを例示する。
【図２Ｂ】本発明の好ましい実施形態による、デジタル／論理的決済カード、及びデジタル／論理的決済カードを一体化したモバイル電子デバイスを例示する。
【図３Ａ】一体化したデジタル／論理的決済カードを用いた金融取引を実施するための、本発明の好ましい実施形態及び第２の実施形態によるモバイル電子デバイスの操作を例示する。
【図３Ｂ】一体化したデジタル／論理的決済カードを用いた金融取引を実施するための、本発明の好ましい実施形態及び第２の実施形態によるモバイル電子デバイスの操作を例示する。
【図４】起動操作における一体化したデジタル／論理的決済カードの典型的な表示を例示する。
【図５】起動操作を記載しているフローチャートである。
【図６】停止操作における一体化したデジタル／論理的決済カードの典型的な表示を例示する。
【図７】停止操作を記載しているフローチャートである。
【図８】遠隔トランザクション処理における一体化したデジタル／論理的決済カードの典型的な表示を例示する。
【図９】本発明によるデジタル／論理的決済カードを用いた遠隔トランザクション処理を記載しているフローチャートである。
【図１０】ＰＯＳ／ＡＴＭトランザクション処理における一体化したデジタル／論理的決済カードの典型的な表示を例示する。
【図１１】本発明によるデジタル／論理的決済カードを用いたＰＯＳ／ＡＴＭトランザクション処理を記載しているフローチャートである。
【図１２】ＮＦＣタップトランザクション処理における一体化したデジタル／論理的決済カードの典型的な表示を例示する。
【図１３】本発明によるデジタル／論理的決済カードを用いたＮＦＣタップトランザクション処理を記載しているフローチャートである。
【図１４Ａ】本発明の第２の実施形態による、デジタル／論理的決済カード、及びデジタル／論理的決済カードを一体化したモバイル電子デバイスを例示する。
【図１４Ｂ】本発明の第２実施形態による、デジタル／論理的決済カード、及びデジタル／論理的決済カードを一体化したモバイル電子デバイスを例示する。
【発明を実施するための形態】
【００２１】
図１によって、本発明の第１の態様によるマルチ方式決済システム１０が記載されている。
【００２２】
マルチ方式決済システム１０は、クレジット及びデビットカード決済、ロイヤリティ／報酬ポイントのクレジット及びデビットなどのような、電子取引を容易にするシステムである。システム１０によって、ユーザ１２０がアカウントを有する多くの決済方式１００Ａ、１００Ｂ、１００Ｃ、１００Ｄのいずれか１つを用いた電子取引をユーザ１２０が行える。決済方式１００Ａ、１００Ｂ、１００Ｃ、１００Ｄは、例えば、Ｖｉｓａ（登録商標）、ＭａｓｔｅｒＣａｒｄ（登録商標）、及びＡｍｅｒｉｃａｎ  Ｅｘｐｒｅｓｓ（登録商標）のようなクレジット決済方式を含むことができ、ストアカード／方式（例えば、Ｄａｖｉｄ  Ｊｏｎｅｓ（登録商標）、Ｗａｌｍａｒｔ（登録商標）、及びポイント／報酬カード／方式（例えば、Ｖｉｒｇｉｎ（登録商標）、Ｑａｎｔａｓ（登録商標））、又はこのようなものの組み合わせ、並びに他の類似の方式も含ことができる。本説明のために、本発明の範囲を限定せずに、決済方式１００Ａ〜Ｄは、クレジット決済方式として以下に記載される。電子取引は、使用する決済方式１００Ａ〜Ｄに関係なく、デジタル／論理的決済カード１１０と一体化される単一のモバイル電子デバイスより実施される。
【００２３】
システム１０は、ネットワーク１４０に接続されているウォレットサーバ１３０を含む。ウォレットサーバ１３０は、ウォレットプロバイダ１３５によって管理され、そこに各ユーザ１２０のウォレットアカウントを保存する。各ユーザのウォレットアカウントは、ユーザ１２０のアカウントを有する決済方式１００Ａ〜Ｄごとに、詳細を保存する。一形態では、各ユーザのウォレットアカウントは、ユーザ１２０が所有する１つ以上のクレジット又はデビットカード（例えば各決済方式１００Ａ〜Ｄに対応するカード）に対して、名前、プライマリアカウント番号、カードタイプ、有効期限、及びカードコード検証番号（例えばＣＣＶ２）のうち１つ以上を保存する。
【００２４】
販売業者１５５に属している販売時点（ＰＯＳ）デバイス１５０、及び／又は電子デバイス１６５を介してアクセス可能なオンライン取引ポータル１６０は、ネットワーク１４０を介してウォレットサーバ１３０に接続される。ＰＯＳデバイス１５０は、好ましくはＮＦＣ（近距離無線通信）対応デバイスであり、よって、ＮＦＣ通信（例えばＶｉｓａ（登録商標）、ＰａｙＷａｖｅ（登録商標））を介してデジタル／論理的決済カード１１０の読み取り処理が可能である。また、ウォレットサーバ１３０によってサポートされる１つ以上の決済方式１００Ａ〜Ｄのための金融システム１０５Ａ、１０５Ｂ、１０５Ｃ、１０５Ｄは、ネットワーク１４０を介してウォレットサーバ１３０に接続されている。
【００２５】
デジタル／論理的決済カード１１０は、すべての本質的な点において、ＩＳＯ７８１６規格に準拠している決済集積回路（ＩＣ）カードと類似している。しかしながら、デジタル／論理的決済カード１１０は、物理的なカードとして具体化されるよりはむしろ、スマートフォン、タブレット、スマートウォッチ、電子ブレスレットなどのような、モバイル電子デバイス２００に組み込まれる。デジタル／論理的決済カード１１０は、物理的寸法及び特性の点以外では、決済ＩＣカード規格に準拠する。一形態では、デジタル／論理的決済カード１１０は、ＥＭＶ（Ｅｕｒｏｐａｙ（登録商標）、Ｍａｓｔｅｒｃａｒｄ（登録商標）、及びＶｉｓａ（登録商標））スマートカード決済規格に準拠する。従って、デジタル／論理的決済カード１１０は、いかなる端末、機械、及び／又は販売業者でも受け入れられ、ＥＭＶ取引のために適切に登録される。別の形態では、デジタル／論理的決済カード１１０は、ＰＢＯＣ（中国人民銀行）決済規格に準拠することができる。
【００２６】
以下詳細に記載されるように、デジタル／論理的決済カード１１０は、1つ以上のプライマリアカウント番号（ＰＡＮｓ）を１つの決済規格から（一実施例において、ＥＭＶ決済規格から）発行される。各ＰＡＮは、選択可能な事前設定と通信して保存される。ＰＡＮは、ウォレットサーバ１３０に対して、ユーザ１２０によって用いられることが望ましい決済方式１００Ａ〜Ｄを識別して、取引を実行する。デジタル／論理的決済カード１１０に保存されたＰＡＮは、ＮＦＣ通信、手入力、又は他の有線若しくは無線通信によって、例えば、ＰＯＳデバイス１５０を経由してウォレットサーバ１３０に伝達される。ユーザ１２０は、取引ポータル１６０を通じて、又は、電話、他の口頭若しくは書面形式などを含むその他の形態の通信によって、ＰＡＮを提供することもできる。
【００２７】
以下詳細に記載されるように、ユーザ１２０と販売業者１５５との間の金融取引は、モバイル電子デバイス２００を操作しているユーザ１２０によって実現され、故に、デジタル／論理的決済カード１１０は、ユーザ１２０がどの決済方式によって取引を行うことを望むかを示している。所望の決済方式のために起動した事前設定に対応するＰＡＮは、例えばＰＯＳデバイス１５０又は取引ポータル１６０を介して、ウォレットサーバ１３０に送信される。ウォレットサーバ１３０は、ＰＡＮを受信すると即座に、ユーザ１２０が決済方式１００Ａ〜Ｄのいずれによって取引を行うことを望むのか判定する。一旦、所望の決済方式が識別されると、ウォレットサーバ１３０は、ユーザのウォレットアカウントから所望の決済方式に関する実際のユーザの詳細を検索する。ユーザ１２０が、Ｖｉｓａ（登録商標）決済方式を介して取引を行うことを望む典型的なケースにおいて、例えば、ユーザのＶｉｓａ（登録商標）プライマリアカウント番号、Ｖｉｓａ（登録商標）カード有効期限などが、ユーザのウォレットアカウントから検索される。続いて、これらの詳細が、ウォレットサーバ１３０によってＶｉｓａ（登録商標）決済方式１００Ａの金融システム１０５Ａに送信される。
【００２８】
ここで図２Ａ及び２Ｂを参照すると、デジタル／論理的決済カード１１０の好ましい実施形態及び、デジタル／論理的決済カード１１０を一体化させるモバイル電子デバイス２００Ａが詳細に記載される。
【００２９】
図２Ａにおいて略図で例示されるように、モバイル電子デバイス２００Ａは、決済カード回路１０１及びモバイルデバイス回路２０１を含む。決済カード回路１０１は、デジタル／論理的決済カード１１０を実現するための電子的なハードウェアを具備し、その一方で、モバイルデバイス回路２０１は、モバイル電子デバイス２００Ａの通常機能を実現するための電子的なハードウェアを具備する。決済カード回路１０１及びモバイルデバイス回路２０１は、２つの回路間のデータ転送が許可されないので、各々から通信に関して分離される。
【００３０】
決済カード回路１０１は、ＥＭＶ集積回路（ＩＣ）２１０を備える。デジタル／論理的決済カード１１０は、例えば、カードプロセッサ２２０、及びメモリ２３０、並びに、近距離無線通信（ＮＦＣ）送受信機、専用のディスプレイアダプタなどのような他の更なる電子回路を含む、必要に応じてデジタル／論理的決済カード１１０の機能を向上させるための他の電子回路も、含むことができる。これらの他の更なる電子回路は、図２Ａの参照番号２１１に一括して例示される。電子回路２１０、２２０、２３０、２１１は、バス２５５を介して相互接続している。
【００３１】
好ましい実施形態によれば、決済カード回路１０１を構成する電子回路２１０、２２０、２３０、２１１は、ドック可能なチップ２４２、例えばＩＳＯ／ＩＥＣ  ７８１０：２００３、ＩＤ−０００のフォームファクタのカードとして物理的に取り込まれる。ドック可能なチップ２４２は、モバイルデバイス２００Ａのドック１０２に、着脱自在に収容されて、モバイルカードディスプレイ２０５Ａ及び電源２６２のような、モバイルデバイス２００Ａ上の他のハードウェアと一体化し接続する。他の実施形態では、チップ２４２は、モバイルデバイス２００Ａ及びその他のハードウェアに、代わりに物理的に組み込まれるか、さもなければ、そこから取り外せなくすることができる。
【００３２】
決済カード回路１０１のＥＭＶ  ＩＣ  ２１０は、ＥＭＶ規格に従って構成された金融取引を処理する集積回路である。ＥＭＶ  ＩＣ  ２１０は、販売時点情報管理（ＰＯＳ）端末のような、適切なＥＭＶデバイスとの有線及び／又は無線通信を提供するのに適している。
【００３３】
カードプロセッサ２２０は、モバイル電子デバイス２００Ａがカード操作モードで操作している場合、モバイル電子デバイス２００Ａの操作を制御し調整するように構成された演算処理装置である。カードプロセッサ２２０は、特に、ユーザ入力の受信、ディスプレイ２０５の制御、メモリ２３０のアクセス、予め保存されたアプリケーション及びコードの実行などを含む、ユーザがモバイル電子デバイス２２０と対話することが可能な１つ以上の指示を実行するように構成される。加えて、カードプロセッサ２２０は、後で更に詳細に記載される、図４〜１３に例示されるプロセスを実行するように構成される。一形態において、カードプロセッサ２２０は、ＥＭＶ  ＩＣ  ２２０に含まれることができる。
【００３４】
メモリ２３０は、金融取引を実施するのに必要なデータを保存するための記憶領域である。メモリ２３０は例えば、カードプロセッサ２２０によって実行されるために１つ以上のプロセス又はアプリケーションを表しているコードを保存し、及び／又は作業メモリとして用いられる。メモリ２３０は、プライマリアカウント番号（ＰＡＮ）、カードコード検証番号（ＣＣＶ２）、及び他のカード又はアカウント関連情報を更に保存することができる。メモリ２３０は、揮発性メモリ、不揮発性メモリ、又は揮発性及び不揮発性メモリの組合せであることができる。
【００３５】
上記のものとして、モバイルデバイス回路２０１は、モバイルデバイス２００Ａの通常機能を実現するための電子的なハードウェアを含む。このような電子的なハードウェアは、例えば、デバイスメモリ２７０、デバイスプロセッサ２８０、デバイスバス２９５、及びＮＦＣ送受信機のようなデバイス回路２９０を含むことができる。以下に、モバイルデバイス回路２０１は、モバイル電子デバイス本体２０１と称し同じ意味で用いられる。
【００３６】
好ましい実施形態のモバイル電子デバイス２００Ａは、モバイルカードディスプレイ２０５Ａ及びモバイルデバイスディスプレイ２０５Ｂを更に含む。好ましい実施形態のモバイルカードディスプレイ２０５Ａは、ドック１０２に電子的に接続され、それによって、ドック可能なチップ２４２、及び電子回路２１０、２２０、２３０、２１１に接続される。チップ２４２が、モバイル電子デバイス２００Ａに対してハードウェアの代わりであるか、そうでなければ、モバイル電子デバイス２００Ａから取り外しできない実施形態では、モバイルカードディスプレイ２０５Ａは、１つ以上のバスによってチップ２４２に電子的に接続されている。モバイルデバイスディスプレイ２０５Ｂは、モバイルデバイス回路２０１に電子的に接続されている。好ましい実施形態では、モバイルカードディスプレイ２０５Ａ及びモバイルデバイスディスプレイ２０５Ｂは、タッチスクリーンディスプレイである。好ましくは、モバイルカードディスプレイ２０５Ａは、専用のグラフィックプロセッサが、決済カード回路１０１に必要とされないように（又は、より小型で、エネルギーが集約しないグラフィックプロセッサだけは、必要とされる）、省エネルギー及び低解像度のディスプレイである。
【００３７】
図２Ｂにて例示したように、好ましい実施形態では、モバイルカードディスプレイ２０５Ａは、モバイル電子デバイス２００Ａの後部面に設けられている電子ペーパーディスプレイである。しかしながら、本発明がこれに限定されず、モバイルカードディスプレイ２０５Ａが別のタイプであり、例えばモバイル電子デバイス２００のサイズ、形状、及び機能によって決まる他の位置に設けられることができると理解されよう。モバイルカードディスプレイ２０５Ａは、例えば、モバイル電子デバイス２００Ａに接続された第２のモバイル電子デバイス（例えばスマートウォッチ）のように、モバイル電子デバイス２００Ａから遠隔で表示させることができる。
【００３８】
決済カード回路１０１の電子回路２１０、２２０、２３０、２１１によってアクセスされ、制御されているとき、ディスプレイ２０５Ｂは、デジタル／論理的決済カード１１０とのインタラクション、及びその操作を容易にするカード操作インターフェース２１５（図２Ｂ）を表示するような操作が可能である。
【００３９】
好ましくは、共通電源２６２が、決済カード回路１０１及びモバイルデバイス回路２０１を給電するために設けられている。しかしながら、決済カード回路１０１及びモバイルデバイス回路２０１それぞれを給電するために、各々専用に、別々の電源を設けることもできる。
【００４０】
モバイル電子デバイス２００Ａは２つのモード、即ち、デバイス操作モード及びカード操作モードで操作可能である。好ましい実施形態のモバイル電子デバイス２００Ａは、両モードで同時に操作させてもよい。しかしながら、セキュリティ上の理由のために、一度に１つのモードのみ操作し得ることが好ましい場合があり、このことにより、１つのモードが他のモードに干渉する（意図せずに、又は、意図的にせよ）危険度を改善する。
【００４１】
好ましい実施形態による決済カード回路１０１の電子回路２１０、２２０、２３０、２１１、及びモバイル電子デバイス本体２０１の電子回路２７０、２８０、２９０の配置によって、決済カード回路１０１、及び、後にそれによって具体化されるデジタル／論理的決済カード１１０が、モバイルデバイス回路２０１から物理的に分割／分離させることが可能であり、これによって、デジタル／論理的決済カード１１０、及びモバイル電子デバイス２００は、その他と独立して操作させることができる。
【００４２】
ここで図１４Ａ及び１４Ｂを参照すると、デジタル／論理的決済カード１１０の第２の実施形態及び、デジタル／論理的決済カード１１０と一体化させるモバイル電子デバイス２００Ｂが記載されている。図１４Ａ及び１４Ｂでは、図２Ａ及び２Ｂの好ましい実施形態における、それらに対する同一又は類似の機能を備えた要素は、同一の参照番号を与えられている。
【００４３】
図１４Ａにおいて略図で例示されるように、第２の実施形態のモバイル電子デバイス２００Ｂは、好ましい実施形態と同様の決済カード回路１０１及びモバイル電子回路２０１を含む。決済カード回路１０１は、デジタル／論理的決済カード１１０を実現するための電子的なハードウェアを具備し、その一方で、モバイルデバイス回路２０１は、モバイルデバイス２００Ｂの通常機能を実現するための電子的なハードウェアを具備する。決済カード回路１０１及びモバイルデバイス回路２０１は、２つの回路間のデータ転送が許可されないので、各々から通信に関して分離される。
【００４４】
決済カード回路１０１は、ＥＭＶ集積回路（ＩＣ）２１０を備える。決済カード回路１０１は、例えばカードプロセッサ２２０、保護メモリ２３０、汎用カードメモリ２４０、及びカードリーダ２５０、並びに例えば近距離無線通信（ＮＦＣ）送受信機、専用のディスプレイアダプタなどのような他の更なる電子回路を含む、必要に応じてデジタル／論理的決済カード１１０の機能を向上させるための他の電子回路も、含むことができる。これらの他の更なる電子回路は、図１４Ａの参照番号２１１に一括して例示される。電子回路２１０、２２０、２３０、２４０、２５０、２１１は、バス２５５を介して相互接続される。
【００４５】
好ましい実施形態と同様に、第２の実施形態のＥＭＶ  ＩＣ  ２１０は、ＥＭＶ規格に従って構成された金融取引を処理する集積回路である。ＥＭＶ  ＩＣ  ２１０は、販売時点情報管理（ＰＯＳ）端末のような、適切なＥＭＶデバイスとの有線及び／又は無線通信を提供するのに適している。
【００４６】
好ましい実施形態と同様に、カードプロセッサ２２０は、モバイル電子デバイスがカード操作モードで操作している場合、モバイル電子デバイスの動作を制御し調整するように構成された演算処理装置である。カードプロセッサ２２０は、特に、ユーザ入力の受信、ディスプレイ２０５の制御、汎用メモリ２４０のアクセス、予め保存されたアプリケーション及びコードの実行などを含む、ユーザがモバイル電子デバイス２２０と対話が可能な１つ以上の指示を実行するように構成される。加えて、カードプロセッサ２２０は、後で更に詳細に説明される、図４〜１３に例示されるプロセスを実行するように構成される。一形態において、プロセッサ２２０は、ＥＭＶ  ＩＣ  ２１０に含めることができる。
【００４７】
保護メモリ２３０は、金融取引を実施するのに必要な保証データを保存するための記憶領域である。保護メモリ２３０は、例えば、プライマリアカウント番号（ＰＡＮ）、カードコード検証番号（ＣＣＶ２）、及び、情報を関連させた他のカード又はアカウントを保存する。保護メモリ２３０は、揮発性メモリ、不揮発性メモリ、又は、揮発性及び不揮発性メモリの組合せであってもよい。
【００４８】
汎用カードメモリ２４０は、安全でないデータを保存するための記憶領域であり、カードプロセッサ２２０によって実行される１つ以上のプロセス又はアプリケーションを表示するコードを含んでいる。汎用メモリ２４０は、汎用メモリ２４０用の作業メモリとして使用するために構成されることもできる。汎用メモリ２４０は、揮発性メモリ、不揮発性メモリであるか、又は、揮発性及び不揮発性メモリの組合せを含むことができる。
【００４９】
カードリーダ２５０は、ユーザーアカウントの詳細を受信するための入力手段として機能する。カードリーダ２５０によって受信可能なユーザーアカウントの詳細は、アカウント名、アカウント番号、有効期限、ＣＣＶ２番号、暗証番号（ＰＩＮ）などを含む。カードリーダ２５０を用いることで、異なるかつ複数のデジタル／論理的決済カード（例えば、ＩＳＯ／ＩＥＣ  ７８１０：２００３、ＩＤ−０００形式カード）は、金融取引に用いられるモバイル電子デバイス２００に、（永久に、または、一時的に）読み込ませることができる。
【００５０】
デジタル／論理的決済カード１１０の電子回路２１０、２２０、２３０、２４０、２５０、２１１は、モバイルデバイス回路２０１の他の電子回路、例えばデバイスメモリ２７０、デバイスプロセッサ２８０、デバイスバス２９５、及び他のデバイス回路２９０に一体化される。
【００５１】
第２の実施形態によれば、決済カード回路１０１の電子回路２１０、２２０、２３０、２４０、２５０、２１１、及び、移動デバイス回路２０１の電子回路２７０、２８０、２９０は、スイッチ２６０によって各々から分離される。スイッチ２６０は、ユーザによって切り換え可能であり、カード操作モードとデバイス操作モードとの間でモバイル電子デバイス２００Ｂを切り換える。
【００５２】
デバイス操作モードでは、電子回路２１０、２２０、２３０、２４０、２５０、２１１は、アクセス不可能であり、及び／又は、さもなければ動作が停止している。一実施形態では、スイッチ２６０がデバイス操作モードに切り替わった場合、電子回路２１０、２２０、２３０、２４０、２５０、２１１は、休止状態になる。休止状態では、電子回路２１０、２２０、２３０、２４０、２５０、２１１の最後の既知の状態は、例えば、汎用カードメモリ２４０及び／又は保護メモリ２３０に保存される。もしモバイル電子デバイス２００Ｂがカード操作モードへ変わった場合、これによって、最後の既知の状態（もしあれば）が正確に再現されることができる。しかしながら、好ましい実施形態では、電子回路２１０、２２０、２３０、２４０、２５０、２１１は、最大又は若干の能力でまだ動作することができるが、これらの電子回路２１０、２２０、２３０、２４０、２５０、２１１に出入りする出力（例えば表示２０５に）、又は、入力（例えばディスプレイ／タッチスクリーン２０５を介したユーザ１２０からの）はできない。
【００５３】
デバイス操作モード中の間、モバイル電子デバイス２００Ｂは、通常通りに正確に動作する。すなわち、モバイル電子デバイス２００Ｂが多機能電話である場合、典型的多機能電話が動作するように、モバイル電子デバイス２００Ｂは正確に動作する。
【００５４】
カード操作モードでは、電子回路２７０、２８０、２９０は、アクセス不可能で、また、動作不能である。一実施形態では、電子回路２７０、２８０、２９０は、休止状態中である。休止状態では、電子回路の２７０、２８０、２９０の最後の既知の状態は、例えばデバイスメモリ２７０に保存される。もしモバイル電子デバイス２００Ｂがデバイス操作モードに切り換え戻した場合、これによって、最後の既知の状態（もしあれば）が正確に再現されることができる。第２の実施形態では、電子回路２７０、２８０、２９０は、最大又は若干の能力でまだ動作することができるが、しかし、これらの電子回路２７０、２８０、２９０に出入りする出力（例えば表示２０５に）、又は、入力（例えばディスプレイ／タッチスクリーン２０５を介したユーザ１２０からの）ができない。
【００５５】
カード操作モードでは、モバイル電子デバイス２００Ｂは、クレジットカード又はデビットカードのような決済カードとして動作する。カード操作モード中の操作時のモバイル電子デバイス２００Ｂの操作及び機能の更なる詳細を以下に記載する。
【００５６】
第２の実施形態では、モバイル電子デバイス２００Ｂは、共有のディスプレイ及び／又はタッチスクリーン２０５を有する。ディスプレイ２０５は、デジタル／論理的決済カード１１０の電子回路２１０、２２０、２３０、２４０、２５０、２１１と、モバイル電子デバイス２０１固有の電子回路２７０、２８０、２９０の両方によってアクセス可能である。
【００５７】
デジタル／論理的決済カード１１０の電子回路２１０、２２０、２３０、２４０、２５０によってアクセスされ、制御されているとき、ディスプレイ２０５は、デジタル／論理的決済カード１１０とのインタラクションを容易にするためのカード操作インターフェース２１５（図１４Ｂ）を表示するように操作可能である。図１４Ｂに示される実施例では、カード操作インターフェース２１５は、仮想カードとして例示されている。カード操作インターフェース２１５は、これに限定されず、いかなる適切な視覚及び／又は音声のインターフェースとしても表示されることができると理解されよう。通常、カード操作インターフェース２１５は、モバイル電子デバイス２００Ｂのタイプ（例えば、多機能電話、タブレット、腕時計など）に最も適するように設計されている。
【００５８】
デジタル／論理的決済カード１１０の電子回路２１０、２２０、２３０、２４０、２５０、２１１、及び、モバイル電子デバイス２０１固有の電子回路２７０、２８０、２９０の上記配置は、デジタル／論理的決済カード１１０が、モバイル電子デバイス２００Ｂから分割され／分離される得ることを意味し、それによって、デジタル／論理的決済カード１１０及びモバイル電子デバイス２００Ｂは、ディスプレイ２０５のような、なんらかの共通ハードウェアを潜在的に共有するにもかかわらず、他と独立して動作させることができる。スイッチ２６０により、確実にデータがデジタル／論理的決済カード１１０とモバイル電子デバイス本体２０１との間で混信することができないようになる。
【００５９】
モバイル電子デバイス２００Ｂの上記説明では、決済カード回路１０１は、モバイルデバイス回路２０１の電子回路２７０、２８０、２９０、２９５から物理的に分割されていると記載されている。しかしながら、第２の実施形態のモバイル電子デバイス２００Ｂは、それに限定されない。仮想マシンなどを用いることにより、１つ以上の電子回路２１０、２２０、２３０、２４０、２５０、２５５、及び、決済カード回路１０１の２１１は、モバイルデバイス回路２０１の１つ以上の電子回路２７０、２８０、２９０、２９５のような、同じ物理的な電子回路であってもよいが、仮想マシンアーキテクチャによって論理的に／デジタル的に分割され、分離される。例えば、カードプロセッサ２２０及びデバイスプロセッサ２８０は、同じ物理的なマイクロプロセッサチップであり得るが、仮想マシンアーキテクチャによって論理的に分割され、分離される。同様に、カードメモリ２４０及びデバイスメモリ２７０は、同じ実装メモリ又はＲＯＭチップであり得てもよいが、仮想マシンアーキテクチャによって論理的に分割され、分離される。
【００６０】
ここで、図３Ａを参照すると、好ましい実施形態に従ってモバイル電子デバイス２００Ａを用いた金融取引を実施する典型的な通常の操作３００Ａが記載されている。
【００６１】
説明のために、好ましい実施形態のモバイル電子デバイス２００Ａは、一般にデバイス操作モード中であり、意図した設計に従って動作しているとみなされる。例えば、モバイル電子デバイス２００Ａが多機能電話である場合、モバイル電子デバイス２００が多機能電話として動作し、ユーザ１２０が多機能電話の全通常機能を実行することが可能であるとみなされる。
【００６２】
一般的な操作３００Ａは、ユーザ１２０が金融取引を実行するよう望むところ／ときに、３Ａ−１０より始まる。例えば、金融取引を、ユーザ１２０がＰＯＳ端末１５０にデジタル／論理的決済カード１１０を提示して自ら実行することができるか、又は、ユーザ１２０が、電話又はポータルサイト１６０を通じて彼／彼女のカードの詳細を提供する遠隔取引であり得る。
【００６３】
３Ａ−１０において、ユーザ１２０は、モバイル電子デバイス２００Ａを切り換えて、カード操作モードで操作する。モバイル電子デバイス２００Ａがカード操作モードで動作しているとき、モバイル電子デバイス２００Ａが、一度に１つのモードでのみ操作するように構成された場合に、電子回路２７０、２８０、２９０に出入りする入力及び出力を遮断することができる。同様に、モバイル電子デバイス２００Ａが、一度に１つのモードでのみ動作するように構成された場合、ディスプレイ２０５Ａのような入力及び出力は、決済カード回路１０１の電子回路２１０、２２０、２３０、２１１に接続されている。
【００６４】
３Ａ−１５において、電子回路がまだ給電され／起動させていない場合、電子回路２１０、２２０、２３０、及び２１１は、給電され／起動される。デジタル／論理的決済カード１１０が機能するのに必要な、いかなるオペレーティングシステム、ドライバ、及び他のソフトウェアを読み込むプロセスが、このステップに含まれる。
【００６５】
３Ａ−２０において、カード操作モードに特有のユーザインタフェース２１５は、モバイル電子デバイス２００Ａのモバイルカードディスプレイ２０５Ａに表示される。
【００６６】
３Ａ−２５において、カード操作インターフェース２１５を経由して、ユーザ１２０は必要に応じてデジタル／論理的決済カード１１０を操作して、金融取引の実行を許可する。デジタル／論理的決済カード１１０を操作する各種プロセスは、図４〜１３に関して後で更に詳細に記載される。
【００６７】
３Ａ−３０において、一旦金融取引が完了したならば、ユーザ１２０は、デバイス操作モードへモバイル電子デバイス２００Ａを切り換え戻す。デバイス操作モードになると、即座に、モバイル電子デバイス１００Ａが、シングルモードのみで動作するように構成されている場合、決済カード回路１０１の電子回路２１０、２２０、２３０、２１１は、ディスプレイ２０５Ａのような入力及び出力部から遮断される。同時に、モバイル電子デバイス本体２０１の電子回路２７０、２８０、２９０は、ディスプレイ２０５Ｂのような適切な入力及び出力部に再接続される。そして、ユーザ１２０は、モバイル電子デバイス２００Ａの通常操作を続けることができる。
【００６８】
モバイル電子デバイス２００Ａが、カード操作モード及びデバイス操作モードの両方で同時操作が可能なように構成される場合、２つのモード間で切り換える上記ステップは、右の回路が入力及び出力部から接続され／遮断されることを確実とする回路を含み、必要でないことが理解されるだろう。
【００６９】
次に、図３Ｂを参照すると、第２の実施形態に従ってモバイル電子デバイス２００Ｂを用いた金融取引を実施する典型的な通常の操作３００Ｂが記載されている。
【００７０】
説明のために、モバイル電子デバイス２００Ｂは、一般にデバイス操作モードであり、意図した設計に従って動作しているとみなされている。例えば、モバイル電子デバイス２００Ｂが多機能電話である場合、モバイル電子デバイス２００Ｂが多機能電話として動作していて、ユーザ１２０が多機能電話の全通常機能を実行することが可能であるとみなされている。
【００７１】
通常の操作３００Ｂは、ユーザ１２０が金融取引を実行するよう望むところ／ときに、３Ｂ−１０より始まる。例えば、金融取引を、ユーザ１２０がＰＯＳ端末１５０にデジタル／論理的決済カード１１０を提示して自ら実行することができるか、又は、ユーザ１２０が、電話又はポータルサイト１６０を通じて彼／彼女のカードの詳細を提供する遠隔取引であり得る。
【００７２】
３Ｂ−１０において、ユーザ１２０は、スイッチ２６０を切り換えて、デバイス操作モードからカード操作モードへモバイル電子デバイス２００Ｂを切り換える。モバイル電子デバイス２００Ｂが、カード操作モードに切り換えられるとき、ディスプレイ２０５に出入りするモバイルデバイス回路２０１の電子回路２７０、２８０、２９０、２９５からの入力及び出力は、遮断される。同時に、ディスプレイ２０５に出入りする入力及び出力は、決済カード回路１０１の電子回路２１０、２２０、２３０、２４０、２５０、２５５、２１１に接続されている。
【００７３】
３Ｂ−１５において、電子回路がまだ給電され／起動させていない場合、電子回路２１０、２２０、２３０、２４０、２５０、２１１は給電され／起動される。デジタル／論理的決済カード１１０が機能するのに必要な、いかなるオペレーティングシステム、ドライバ、及び他のソフトウェアを読み込むプロセスが、このステップに含まれる。
【００７４】
３Ｂ−２０において、カード操作モードに特有のユーザインタフェース２１５は、モバイル電子デバイス２００Ｂのディスプレイ２０５に表示される。
【００７５】
３Ｂ−２５において、カード操作インターフェース２１５を経由して、ユーザ１２０は必要に応じてデジタル／論理的決済カード１１０を操作して、金融取引の実行を許可する。デジタル／論理的決済カード１１０を操作する各種プロセスは、図４〜１３に関して後で更に詳細に記載される。
【００７６】
３Ｂ−３０において、一旦金融取引が完了したならば、ユーザ１２０は、デバイス操作モードへスイッチ２６０を切り換える。デバイス操作モードへ変えると、即座に、決済カード回路１０１の電子回路２１０、２２０、２３０、２４０、２５０、２１１は、ディスプレイ２０５の入力及び出力から遮断され、続いて、入力／出力が、モバイル電子デバイス本体２０１の電子回路２７０、２８０、２９０、２９５へ再接続される。そして、ユーザ１２０は、モバイル電子デバイス２００Ｂの通常操作を続けることができる。
【００７７】
モバイル電子デバイス２００Ａ、２００Ｂ、及び、操作３００Ａ、３００Ｂによって、モバイル電子デバイス２００Ａ、２００Ｂの実行に特有の操作及びプロセスが、金融取引の履行に特有の操作及びプロセスから分割され分離されることができる。データ及び情報の転送は、意図的であるか意図的でないにせよ、カード操作モードとデバイス操作モードとの間で、防止されるか、又は、少なくとも改善される。このように、ユーザのデジタル／論理的決済カード１１０の悪意のある又は偶然の漏洩が防止される。
【００７８】
図１５を参照すると、モバイル電子デバイス２００Ａ又は２００Ｂのいずれかを用いた金融取引を実施する特定の操作１５００が記載されている。特定の操作１５００は、金融取引が、モバイル電子デバイス２００Ａ、２００Ｂ上で履行するモバイルアプリケーションを用いて処理されている場合の１つである。モバイル電子デバイス２００Ａ、２００Ｂ上で実行されているモバイルアプリケーションは、ＮＦＣを通じて、デジタル／論理的決済カード１１０のようなスマートカードの決済カードから決済を容易にして、受け付けるように構成されているものの１つである。モバイル電子デバイス２００Ａ、２００Ｂ上で実行される際のモバイルアプリケーションは、実質的に、モバイル電子デバイス２００Ａ、２００ＢにＰＯＳデバイス１５０として機能させる。
【００７９】
特定の操作１５００は、モバイルアプリケーションが購入を容易にするように操作される１５−１０より始まる。モバイルアプリケーションは、それ自体で、プロセスを容易にして、購入のための商品又はサービスに対する決済を検索し、識別し、その後に処理することができ、又は、単にプロセスを容易にして、購入のための商品又はサービスに対する決済を処理することができる。
【００８０】
１５−２０において、モバイルアプリケーションは、モバイルアプリケーション内で入力された決済情報に対する迅速な請求を提示する。決済情報は、例えば、プライマリアカウント番号、ＰＩＮ、又は他のパスコードなどを含むことができる。
【００８１】
次に、通常の操作３００Ａ又は通常の操作３００Ｂが開始される。必要に応じて、ステップ３Ａ−１０〜３Ａ−２５、又は３Ｂ−１０〜３Ｂ−２５が実施される。ステップ３Ａ−２５又はステップ３Ｂ−２５終了後、ワンタイムＰＩＮ（ＯＴＰ）が、デジタル／論理的決済カード１１０によって生成される。特定の操作１５００のためのＯＴＰは、モバイルアプリケーションによってその取引を続けることを必要とする決済情報の一部分である。
【００８２】
１５−３０において、デジタル／論理的決済カード１１０及びモバイルアプリケーションは、ＯＴＰ、及び、例えば、デジタル／論理的決済カード１１０からモバイルアプリケーションへＮＦＣを介したプライマリアカウント番号を含む、他の決済情報を転送するために操作される。この操作は、決済情報を受け取るためにモバイルアプリケーションを準備し、更に決済情報を送信するためにデジタル／論理的決済カード１１０を操作するユーザ１２０を必要とする手動プロセスであることができる。操作は、完全に又は部分的に自動化されたプロセスであってもよく、一方の終端上では、デジタル／論理的決済カード１１０を操作して、ＯＴＰを生成する以上にユーザ１２０からの労力を必要とせず、もう一方の終端上では、モバイルアプリケーションも操作して、決済情報を受け取り、又は、デジタル／論理的決済カード１１０を操作して、決済情報を送信するためにユーザ１２０からの労力を必要とする。
【００８３】
１５−４０において、モバイルアプリケーションは、デジタル／論理的決済カード１１０からＮＦＣを介して決済情報を受信し、決済情報を用いて、取引を行う。取引は、例えば、図１１によって後で更に詳細に記載されている操作１１００の操作と類似の方法で行われることができる。
【００８４】
１５−４０の後、ステップ３Ａ−３０又は３Ｂ−３０は、操作３００Ａ、３００Ｂに従って行われる。
【００８５】
ここで、図４及び５を参照すると、決済方式アカウントのためのデジタル／論理的決済カード１１０の事前設定を起動させるデジタル／論理的決済カード１１０のライセンス認証操作５００が、記載されている。ライセンス認証操作５００は、ユーザ１２０が、ユーザの決済方式アカウントがデジタル／論理的決済カード１１０の事前設定と関連付けられなければならないウォレットサーバ１３０に指示するオンライン又は電話に基づく操作と並行して通常実行される。
【００８６】
明確にするため、以下の操作５００は、ユーザ１２０は、彼らが、彼らのＭａｓｔｅｒｃａｒｄ（登録商標）アカウントで使用する彼らのデジタル／論理的決済カード１１０上の事前設定「４」を起動させることを望むウェブサーバ１３０に指示する実施例に関して記載されている。以下の操作５００は、デジタル／論理的決済カード１１０のどの事前設定が起動されることが望まれるかにもかかわらず、どの決済方式の事前設定が起動されるかにもかかわらず適用できることが理解されよう。
【００８７】
ユーザのＭａｓｔｅｒｃａｒｄ（登録商標）の決済方式アカウントで使用する、デジタル／論理的決済カード１１０の事前設定「４」を起動させる操作５００は、図５のフローチャートの５−５より始まり、ユーザ１２０が、カード操作モードで操作するデジタル／論理的決済カード１１０を含んでいるモバイル電子デバイス２００Ａ、２００Ｂを切り換える。
【００８８】
カード操作モードでは、入出力は、決済カード回路１０１の電子回路へ／からのみ限定させることができ、例えば、モバイル電子デバイス２００Ａが、一度に１つのモードの操作のみを許容するように構成された場合、又は、操作５００が、モバイル電子デバイス２００Ｂ上で実行されている場合である。
【００８９】
カード操作モードで操作するモバイル電子デバイス２００Ａ、２００Ｂを切り換えているユーザ１２０に、モバイル電子デバイス２００Ａ、２００Ｂのディスプレイ２０５Ａ、２０５は、カード操作インターフェース２１５を表示する。図例及び説明のために、カード操作インターフェースが、物理的なカードのレプリカとして、添付の図面にて表される。しかしながら、ユーザインタフェースは、適切な入力手段（接触、音声、又はその他）が、ユーザ１２０からの入力を容易にするために提供される限り、ディスプレイ上のいかなる画像構成においても表示されることができることが理解されよう。
【００９０】
ユーザインタフェース２１５は、モバイルカードディスプレイ２０５Ａ（操作５００がモバイル電子デバイス２００Ａに実行される場合）、又は、共有のモバイルデバイスディスプレイ２０５（操作５００がモバイル電子デバイス２００Ｂに実行される場合）に表示される。
【００９１】
次に５−１０において、ユーザ１２０が、ライセンス認証操作が要求されることをウォレットサーバ１３０に示すための上述した並行操作を実行した後に、又は、それと並行して、ユーザ１２０は、カード操作インターフェース２１５上の事前設定「４」を選択して、操作５００を始める。本図に例示される典型的なインターフェースでは、ユーザ１２０は、カード操作インターフェース２１５の仮想キーパッド３１５上の「４」を押す。
【００９２】
５−１５において、ディスプレイ２０５Ａ、２０５は、適切なメッセージを表示して、ユーザ１２０に彼らがライセンス認証操作を始めたことを伝達する。ディスプレイ２０５Ａ、２０５は、例えば、カード操作インターフェース２１５の仮想スクリーン３２５上に「起動」といった語を表示して（図４のスクリーン４１０を参照）、事前設定「４」がライセンス認証の適切な候補として使用されることをユーザに示すことができる。
【００９３】
５−２０において、スクリーン４２０（図４）は、ユーザ１２０に第１のアクセス認証コードで入力することを促す。事前設定「４」に特有である第１のアクセス認証コードは、上述した並行操作の間、ウォレットサーバ１３０によってユーザ１２０に提供される。第１のアクセス認証コードは、カード操作インターフェース２１５を経由して、例えば、仮想キーパッド３１５を経由してユーザ１２０によってデジタル／論理的決済カード１１０に入力される。スクリーン４２０（図４）は、数字がキーパッド３１５を介してユーザ１２０によって入力されるとき、数字を表示するように操作可能である。アクセス認証コードはユーザの権限を確認して、デジタル／論理的決済カード１１０の事前設定「４」を起動させる。第１のアクセス認証コードの要求は、事前設定の誤った及び／又は無許可のライセンス認証を防止する。具体的には、正しい第１の許可コードは、ウォレットサーバ１３０との上述した並行操作を実行した人、又はその人の権限委譲者にのみ知らされる。
【００９４】
５−２５において、カードプロセッサ２２０は、ユーザによって入力されたコードが有効かどうか調べる。コードが無効であると判定された場合、ライセンス認証操作５００は終了する。コードが有効であると判定された場合、操作は５−３０へ進む。
【００９５】
５−３０において、モバイル電子デバイス２００Ａ、２００Ｂのディスプレイ２０５Ａ、２０５は、画面４３０（図４）を表示して、ユーザ１２０に第２のアクセス認証コードの入力を促す。第２のアクセス認証コードは、上述した並行操作の間、ウォレットサーバ１３０によってユーザにも提供される。第２のアクセス認証コードは、誤った及び／又は無許可の予め設定されたプログラミングに対する更なる照合といった役割を実施する。第２のアクセス認証コードは、仮想キーパッド３１５を経由してユーザ１２０によって入力される。
【００９６】
一形態では、第２のアクセス認証コードは、２つの部分から成る。コードの第１の部分は、ライセンス認証シーケンスを含む。コードの第２の部分は、デジタル／論理的決済カード１１０に対して、事前設定が起動されている決済方式（例えば、Ｍａｓｔｅｒｃａｒｄ（登録商標）、Ｖｉｓａ（登録商標）、ＡＭＥＸ（登録商標））を識別する。図４の画面４３０に例示される実施例では、第２のアクセス認証コードは、最初の４つの数字は、ウォレットサーバ１３０によって生成されたライセンス認証シーケンスであり、最後の２つの数字は、デジタル／論理的決済カード１１０に事前設定とリンクされている決済方式のタイプを示す６桁の番号である。
【００９７】
５−３５において、カードプロセッサ２２０は、ユーザ１２０によって入力されたコードが事前設定「４」に有効かどうか調べ、もし有効な場合は、ユーザのＭａｓｔｅｒｃａｒｄ（登録商標）アカウントで使用する事前設定「４」を起動する。デジタル／論理的決済カード１１０は、事前設定「４」がここで押されるたびに、カード操作インターフェース２１５に表示される表示名を更に関連づける。表示される表示名は、第２のアクセス認証コードに基づく。
【００９８】
具体的には、表示名は、第２のアクセス認証コードの第２の部分から決定される。各種の決済方式に対する第２のアクセス認証コードの第２の部分の典型的なマッピングは、以下の通りであり得る。
【００９９】
【表１】
2019502984.tif 000003
【０１００】
従って、「６４」の末尾のいかなる第２のアクセス認証コード終了も、Ｍａｓｔｅｒｃａｒｄ（登録商標）アカウントとしてデジタル／論理的決済カード１１０によって識別され、適切な表示名、例えば、「ＭＡＳＴＲＣＡＲＤ１」は、カード操作インターフェース２１５に、例えば、仮想スクリーン３２５によって、起動する事前設定が押されるたびに表示される。表示名を表しているデジタル／論理的決済カード１１０の典型的なスクリーン４４０は、図４に例示される。第２のアクセス認証コードの第２の部分は、図４に例示される実施例のような、最後の２つの数字であると限られていないことが理解されよう。第２のアクセス認証コードの第２の部分は、第２のアクセス認証コードのいかなる所定の派生もあり得る。
【０１０１】
ここで、図６及び７を参照すると、デジタル／論理的決済カード１１０から決済方式アカウントを停止させるための操作７００が、記載されている。
【０１０２】
デジタル／論理的決済カード１１０から決済方式アカウントを停止させる操作７００は、図７のフローチャートの７−５より始まり、ユーザが、カード操作モードで操作するデジタル／論理的決済カード１１０を含むモバイル電子デバイス２００Ａ、２００Ｂを切り換える。
【０１０３】
カード操作モードでは、入出力は、電子回路２１０、２２０、２３０、２４０、２５０、２５５、２１１にのみ限定させることができ、例えば、モバイル電子デバイス２００Ａが一度に１つのモードでの操作のみを許容するように構成された場合、又は、操作５００が、モバイル電子デバイス２００Ｂ上で実行されている場合である。
【０１０４】
モバイル電子デバイス２００Ａ、２００Ｂをカード操作モードに切り換えているユーザ１２０に、モバイル電子デバイス２００Ａ、２００Ｂのディスプレイ２０５Ａ、２０５は、カード操作インターフェース２１５を表示する。図例及び説明のために、カード操作インターフェース２１５が、物理的なカードのレプリカとして、添付の図面にて表される。
【０１０５】
次に、７−１０において、ユーザ１２０は、仮想キーパッド３１５上のボタンの予め設定されたシーケンスを押す。一形態では、ボタンのシーケンスは、矢継ぎ早に「ＯＫ」のボタンを５連続押すことによって停止状態が続く事前設定の第１の押圧である。
【０１０６】
７−１５において、カード操作インターフェース２１５の仮想スクリーン３２５は、適切なメッセージを表示して、ユーザ１２０に、ライセンス認証の解除操作が事前設定として許され、デジタル／論理的決済カード１１０がライセンス認証解除プロセスを始める準備ができていることを知らせる。ある形態では、仮想スクリーン３２６は、スクリーン６１０によって図６にて例示したように、「停止」という語を示す。
【０１０７】
７−２０において、ユーザ１２０が、デジタル／論理的決済カード１１０に、ウォレットプロバイダによって彼らに提供したライセンス認証解除コードを入力する。ライセンス認証解除コードは、ユーザ１２０がウォレットサーバ１３０に事前設定を停止させたいという彼らの要求を知らせるときに、ユーザ１２０に提供される。一形態では、ユーザ１２０は、オンラインでの手段を介して、例えば、ポータルサイトを通じて、又は電話を介して事前設定を停止させたいという彼らの要求を、ウォレットサーバ１３０に知らせる。ライセンス認証解除コードは、カード操作インターフェース２１５を経由して、例えば、仮想キーパッド３１５を介してユーザ１２０によって入力される。スクリーン６２０（図６）は、ユーザ１２０にライセンス認証解除コードの入力を促し、コードがユーザ１２０によって入力されるとき、数字を表示する。ライセンス認証解除コードは、停止する事前設定に特有のものである。
【０１０８】
７−２５において、カードプロセッサ２２０は、ユーザ１２０によって入力されるライセンス認証解除コードが、停止する事前設定に有効かどうか確認する。コードが有効である場合、事前設定は停止し、今後の事前設定の押圧が、結果として取引を実施するために必要なプロセスになることはない。停止した事前設定は、新規な決済方式アカウントに対する今後のライセンス認証にも利用可能となる。ディスプレイ２０５Ａ、２０５は、事前設定がリンクを外され／停止したことをユーザ１２０に確認するスクリーン６３０（図６）を表示する。
【０１０９】
図８及び９を参照すると、デジタル／論理的決済カード１１０を用いた遠隔取引を行うための操作９００が、記載されている。本説明のために、遠隔取引は、オンラインの購入、又は電話で購入するときのように、デジタル／論理的決済カード１１０が、販売業者１５５に物理的に示されないものである。
【０１１０】
説明の便宜上、以下の説明では、ユーザ１２０が、彼らのデジタル／論理的決済カード１１０の事前設定「４」にリンクされた、彼らのＭａｓｔｅｒｃａｒｄ（登録商標）のクレジットカードを経由して決済を実施すること要求するとみなす。しかしながら、本発明はこれに限定されず、以下の操作９００が、どの決済方式が使用されるか、デジタル／論理的決済カード１１０のどの事前設定が起動するかに関係なく適用できることが理解されよう。
【０１１１】
操作９００は、図９のフローチャートの９−５より始まり、ユーザ１２０は、カード操作モードで操作するデジタル／論理的決済カード１１０を含んでいるモバイル電子デバイス２００Ａ、２００Ｂを切り換える。
【０１１２】
次に、９−１０において、ユーザ１２０は、販売業者１５５によって、ユーザの好適な決済の詳細を提供することを促される。好適な決済の詳細は、例えば、クレジットカード番号、カード所有者の名前、有効期限などである。
【０１１３】
９−１５において、ユーザ１２０は、決済を実施するためのユーザのデジタル／論理的決済カード１１０にリンクされた決済方式１００Ａ〜Ｄのうちの１つを選択する。本実施例では、ユーザ１２０は、カード操作インターフェース２１５の仮想キーパッド３１５を用いて事前設定「４」を押す。
【０１１４】
９−２０において、事前設定「４」を押すと、即座に、ディスプレイ２０５が、「ＭＡＳＴＲＣＡＲＤ１」を表示するスクリーン８１０（図８）を生成して、ユーザ１２０に、事前設定「４」が、彼らのＭａｓｔｅｒｃａｒｄ（登録商標）のアカウントと一致することを確認する。
【０１１５】
９−２５において、ユーザ１２０は、デジタル／論理的決済カード１１０に、どのような処理をなそうとしているかを指示する。したがって、この実施例では、ユーザ１２０は、カードに、遠隔取引をなそうとすることを指示する。この指示は、周知のシーケンスで仮想キーパッド３１５の操作を経由してなされることができる。好ましい形態では、スクリーン８２０（図８）によって、手本となって例示されるように、ボタン「１」を押して、遠隔取引を指示する。
【０１１６】
９−３０において、ユーザは、ユーザ１２０にＰＩＮでの入力を促すスクリーン８３０（図８）にその後提示される。
【０１１７】
９−２５において、ユーザ１２０は、ＰＩＮで入力する。入力されたＰＩＮが有効か無効かに関係なく、ユーザ１２０は、カード索引番号７７０及びカードコード検証番号（ＣＣＶ２）のようなセキュリティ番号７８０を表示しているスクリーン８４０（図８）で、提示される。セキュリティ番号７８０は、ＰＩＮ、デジタル／論理的決済カード１１０に予め保存される乱数種、現在時刻、及び押されて予め設定された番号（この場合、事前設定「４」）を含む多くの入力から生成する。カード索引番号７７０は、デジタル／論理的決済カード１１０の「４」を予め設定するよう割り当てられる静的で、不変の番号であり、カード番号２０８と数学的に関連づけさせる。一形態では、カード索引番号７７０とカード番号２０８との間の数学的相関は、カード索引番号７７０が、可変的な数「Ｘ」及び「Ｙ」を置換するとき、結果として生じるカード番号２０８が、ルーン（法関数１０）アルゴリズムを満たすようなものである。
【０１１８】
９−４０において、事前設定「４」と対となるＰＡＮは、カード索引番号７７０によって置き換えられる可変的な数字「Ｘ」及び「Ｙ」を有するカード番号２０８から形成される。事前設定「４」と対となるＰＡＮ、及びセキュリティ番号７８０は、販売業者１５５／１６０に提供される。
【０１１９】
９−４５において、受け取ったＰＡＮ及びセキュリティ番号７８０は、販売業者の決済システムに入力される。決済システムは、デジタル／論理的決済カード１１０が、ウォレットプロバイダ１３５発行のＥＭＶカードであることを完全なカード番号から認識し、したがって、事前設定「４」と対となるＰＡＮ、セキュリティ番号、引き落とし額、及び他の決済の詳細を、処理のためにウォレットサーバ１３０に提供する。
【０１２０】
９−５０において、ウォレットサーバ１３０は、ＰＡＮ、セキュリティ番号７８０、引き落とし額、及び、他の決済の詳細を受信する。ＰＡＮより、ウォレットサーバ１３０は、事前設定「４」が、ユーザ１２０によって押されたと判定する。ウォレットサーバ１３０は、提供されたセキュリティ番号７８０が有効かどうか、更に判定する。ウォレットサーバ１３０は、ウォレットサーバ１３０がどの事前設定が押されたかが分かるようなセキュリティ番号７８０、取引の時間、デジタル／論理的決済カード１１０と関連づけられた予め保存された乱数種、及び、事前設定「４」にＭａｓｔｅｒｃａｒｄ（登録商標）と関連づけたユーザＰＩＮを確認することが可能である。したがって、ウォレットサーバ１３０は、セキュリティ番号７８０が生成されたのと同じ情報を所有しており、このことによりセキュリティ番号７８０を確認することができる。誤ったＰＩＮが９−２０で入力された場合、ウォレットサーバ１３０に送信されるセキュリティ番号７８０は、事前設定「４」用のユーザのＭａｓｔｅｒｃａｒｄ（登録商標）アカウントに関する保存されたセキュリティ番号と一致しない。
【０１２１】
セキュリティ番号７８０の確認に成功すると、即座に、ウォレットサーバ１３０は、実際のＭａｓｔｅｒｃａｒｄ（登録商標）のプライマリアカウント番号、実際の有効期限、実際のＣＣＶ２番号などを含む、事前設定「４」とリンクされたユーザのＭａｓｔｅｒｃａｒｄ（登録商標）のクレジットカードに関するアカウント詳細を検索する。
【０１２２】
９−５５において、ウォレットサーバ１３０は、ユーザの実際のＭａｓｔｅｒｃａｒｄ（登録商標）のプライマリアカウント、実際のＣＣＶ２番号、実際の有効期限、及び、他の決済の詳細を、処理のためにＭａｓｔｅｒｃａｒｄ（登録商標）金融システム１０５Ｂに提供する。
【０１２３】
９−６０において、Ｍａｓｔｅｒｃａｒｄ（登録商標）金融システム１０５Ｂは、実際のＭａｓｔｅｒｃａｒｄ（登録商標）プライマリアカウント番号、有効期限、ＣＣＶ２番号、及び、他の決済の詳細を受信して、取引が承認されるべきかどうか確かめる。取引は、金融システム１０５Ｂの標準的な手続きに従って承認されるか、又は拒否される。Ｍａｓｔｅｒｃａｒｄ（登録商標）金融システム１０５Ｂによる取引の承認又は拒否は、ウォレットサーバ１３０に周知され、次に、販売業者／販売業者の取引ポータル１５５／１６０に伝達される。したがって、販売業者１５５とのユーザの取引は、それに応じて承認又は拒否される。
【０１２４】
図１０及び１１を参照すると、デジタル／論理的決済カード１１０を用いた販売時点情報管理取引を行うための操作１１００が、記載されている。本説明のために、販売時点情報管理取引は、販売業者のＰＯＳデバイス１５０を用いた場合のように、デジタル／論理的決済カード１１０が、販売業者１５５に物理的に提示されるものである。
【０１２５】
説明の便宜上、以下の説明では、ユーザ１２０が、彼らのデジタル／論理的決済カード１１０の事前設定「４」にリンクされた、彼らのＭａｓｔｅｒｃａｒｄ（登録商標）のクレジットカードを経由して取引を実施すること要求するとみなす。しかしながら、本発明はこれに限定されず、以下の操作８００が、どの決済方式が使用されるか、デジタル／論理的決済カード１１０のどの事前設定が起動するかに関係なく適用できることが理解されよう。
【０１２６】
操作１１００は、図１１のフローチャートの１１−５より始まり、ユーザ１２０は、カード操作モードで操作するデジタル／論理的決済カード１１０を含んでいるモバイル電子デバイス２００Ａ、２００Ｂを切り換える。
【０１２７】
次に、１１−１０において、ユーザ１２０は、彼らのデジタル／論理的決済カード１１０を提示して取引を実施することを、販売業者によって促される。
【０１２８】
１１−１５において、ユーザ１２０は、取引を実施するために、ユーザのデジタル／論理的決済カード１１０にリンクされた決済方式１００Ａ〜Ｄのうちの１つを選択する。したがって、ユーザ１２０は、仮想キーパッド３１５を用いて事前設定「４」を押す。
【０１２９】
１１−２０において、事前設定「４」を押すと、即座に、仮想スクリーン３２５は、スクリーン１０１０（図１０）で例示されるように、「ＭＡＳＴＲＣＡＲＤ１」を表示して、ユーザ１２０に、事前設定「４」が、彼らのＭａｓｔｅｒｃａｒｄ（登録商標）のアカウントと一致することを確認する。続いて、ユーザ１２０は、スクリーン１０２０（図１０）で手本となって例示されるように、どの種類の取引が実行されるのかデジタル／論理的決済カード１１０に指示するように促される。したがって、この実施例では、ユーザ１２０は、カードに、販売時点情報管理取引をなそうとすることを指示する。この指示は、周知のシーケンスで仮想キーパッド３１５の操作を経由してなされることができる。一形態では、ボタン「２」を押して、販売時点情報管理取引を指示する。
【０１３０】
１１−２５において、ユーザ１２０は、デジタル／論理的決済カード１１０を用いるためのそれらの権限を確認する。ユーザの権限は、例えば、ＰＯＳデバイス１５０へのデジタル／論理的決済カード１１０の挿入又はスワイプ、その後のＰＯＳデバイス１５０へのＰＩＮの入力、及び、ＰＩＮのオフライン又はオンラインの検証を通じて、従来通りに確認されることができる。しかしながら、好ましい形態では、ユーザの権限は、スクリーン１０３０（図１０）で例示されるような動的なワンタイムＰＩＮを用いて確認される。ユーザの権限を確認する動的なワンタイムＰＩＮの使用は、国際出願ＰＣＴ／ＡＵ２０１２／０００１１０号（国際公開第２０１２／１０６７５７号２として公開）に、記載され、その内容をここに参考文献として組み入れる。
【０１３１】
１１−３０において、ユーザの権限の確認に成功すると、即座に、デジタル／論理的決済カード１１０の詳細、及び他の取引の詳細が、読み込まれるか、又は、ＰＯＳデバイス１５０に入力され、ウォレットサーバ１３０に送信される。特に、デジタル／論理的決済カード１１０の事前設定「４」に対応するＰＡＮは、ウォレットサーバ１３０に送信される。
【０１３２】
１１−３５において、ウォレットサーバ１３０は、ＰＡＮ及び取引の詳細を受信し、ユーザ１２０が事前設定「４」を押したことをＰＡＮから得る。ウォレットサーバ１３０は、ユーザのＭａｓｔｅｒｃａｒｄ（登録商標）アカウントの詳細を検索し、処理のために、アカウントの詳細、及びＭａｓｔｅｒｃａｒｄ（登録商標）金融システム１０５Ｂに対する取引の詳細を提供する。
【０１３３】
１１−４０において、Ｍａｓｔｅｒｃａｒｄ（登録商標）金融システム１０５Ｂは、取引を処理し、それらの標準的な手続きに基づき取引を受け付けるか拒否する。続いて、取引の受付又は拒否の通知は、ウォレットサーバ１３０へ提供され、次に、販売業者／ＰＯＳデバイス１５０に通知する。
【０１３４】
図１２及び１３を参照すると、ＮＦＣタップ取引を行うための操作１３００が、記載されている。ＮＦＣタップ取引は、この説明のための、デジタル／論理的決済カード１１０が販売業者１５５に物理的に提示されるものであり、ＰＯＳ／ＡＴＭ取引の操作と同様であるが、ＰＯＳデバイス１５０への挿入によってデジタル／論理的決済カード１１０が読み込まれるというよりむしろ、デジタル／論理的決済カード１１０がＰＯＳデバイス１５０に近距離無線通信（ＮＦＣ）技術によって伝達する。
【０１３５】
説明の便宜上、以下の説明では、ユーザ１２０が、彼らのデジタル／論理的決済カード１１０の事前設定「４」にリンクされた、彼らのＭａｓｔｅｒｃａｒｄ（登録商標）のクレジットカードを経由して取引を実施すること要求するとみなす。しかしながら、本発明はこれに限定されず、以下の操作８００が、どの決済方式が使用されるか、デジタル／論理的決済カード１１０のどの事前設定が起動するかに関係なく適用できることが理解されよう。
【０１３６】
操作１３００は、１３−５より始まり、ユーザ１２０が、カード操作モードで操作するデジタル／論理的決済カード１１０を含むモバイル電子デバイス２００を切り換える。
【０１３７】
次に、１３−１０において、ユーザ１２０は、彼らのデジタル／論理的決済カード１１０を提示して取引を実施することを、販売業者１５５によって促される。
【０１３８】
１３−１５において、ユーザ１２０は、取引を実施するために、ユーザのデジタル／論理的決済カード１１０にリンクされた決済方式１００Ａ〜Ｄのうちの１つを選択する。したがって、ユーザ１２０は、キーパッド２２０を用いて事前設定「４」を押す。
【０１３９】
１３−２０において、事前設定「４」を押すと、即座に、仮想スクリーン３２５は、スクリーン１２１０（図１２）で例示されるように、「ＭＡＳＴＲＣＡＲＤ１」を表示して、ユーザ１２０に、事前設定「４」が、彼らのＭａｓｔｅｒｃａｒｄ（登録商標）のアカウントと一致することを確認する。続いて、ユーザ１２０は、スクリーン１２２０（図１２）で手本となって例示されるように、どの種類の取引が実行されるのかデジタル／論理的決済カード１１０に指示するように促される。したがって、この実施例では、ユーザ１２０は、カードに、ＮＦＣタップ処理をなそうとすることを指示する。この指示は、周知のシーケンスで仮想キーパッド３１５の操作を経由してなされることができる。一形態では、ボタン「3」を押して、ＮＦＣタップ取引を指示する。
【０１４０】
１３−２５において、ユーザ１２０は、スクリーン１２３０（図１２）で例示するように、デジタル／論理的決済カード１１０によってＰＩＮの入力を促される。ＰＩＮよって、デジタル／論理的決済カード１１０にユーザ１２０を確認させ、それによって、デジタル／論理的決済カード１１０のＮＦＣ機能を許可し、解除して、ＮＦＣ取引を行う。ＰＩＮに対する要求は、デジタル／論理的決済カード１１０を無許可のＮＦＣ取引から守る。
【０１４１】
１３−３０において、ＮＦＣ取引を行うためのユーザの権限の確認に成功すると、即座に、ユーザ１２０は、ＮＦＣ対応ＰＯＳデバイス１５０の近くで、デジタル／論理的決済カード１１０を配置する。デジタル／論理的決済カード１１０の詳細、及び他の取引の詳細は、ＮＦＣ通信を介してＰＯＳデバイス１５０に伝達され、その後、ＰＯＳデバイス１５０によってウォレットサーバ１３０に送信される。特に、デジタル／論理的決済カード１１０の事前設定「４」に対応するＰＡＮは、ウォレットサーバ１３０に送信される。
【０１４２】
１３−３５において、ウォレットサーバ１３０は、ＰＡＮ及び取引の詳細を受信し、ユーザ１２０が事前設定「４」を押したことをＰＡＮから得る。ウォレットサーバ１３０は、ユーザのＭａｓｔｅｒｃａｒｄ（登録商標）アカウントの詳細を検索し、処理のために、アカウントの詳細、及びＭａｓｔｅｒｃａｒｄ（登録商標）金融システム１０５Ｂに対する取引の詳細を提供する。
【０１４３】
１３−４０において、Ｍａｓｔｅｒｃａｒｄ金融システム１０５Ｂは取引を処理し、それらの標準的な手続きに基づき取引を受理するか拒否する。続いて、取引の受付又は拒否の通知は、ウォレットサーバ１３０へ提供され、次に、販売業者／ＰＯＳデバイス１５０に通知する。
【０１４４】
本開示によって、システム１０、デジタル／論理的決済カード１１０、モバイル電子デバイス２００Ａ、２００Ｂ、及びそれらの利用で、ユーザ１２０は、ユーザ１２０が有する複数のアカウントで複数の決済方式１００Ａ〜Ｄを介し、ユーザ１２０が既に携帯しているような単一デバイスを用いて取引を実施することができる。
【０１４５】
決済カード回路１０１を構成する電子回路は、モバイル電子デバイス本体２０１の電子回路２７０、２８０、２９０、２９５から分離し、分割した状態を保っており、デジタル／論理的決済カード１１０に保存される財務情報、及びデジタル／論理的決済カード１１０によって実行されている金融処理の悪意のある、又は偶然の漏洩が防止されるか、又は少なくとも改善される。
【０１４６】
決済カード回路１０１及びモバイルデバイス回路２０１の電子回路は、各々がそれら自体のディスプレイを有し、多くとも電源を共有することを含み、各々がお互いから完全に独立することによって、分割し、分離した状態を保てることできる。好ましい実施形態のモバイル電子デバイス２００Ａは、分割及び分離を実施するこの構成を利用しているモバイル電子デバイスの実施例である。この構成の利点は、モバイル電子デバイスが、必要に応じて、カード操作モード及びデバイス操作モードの両方とも同時に操作することができることである。
【０１４７】
加えて、この構成によって、更に、ドック可能なチップ２４２のような決済カード回路１０１を構成することによって、デジタル／論理的決済カード１１０は、例えば、複数ユーザ、複数アカウント（例えば、個人及び企業）を考慮に入れ、及び／又は、より早くアップグレード及び技術の進歩を考慮に入れるために、中で、及び、外で、直ちに交換されることができる。
【０１４８】
スイッチ２６０は、デジタル／論理的決済カード１１０を構成している電子回路２１０、２２０、２３０、２４０、２５０、２５５、２１１が、モバイル電子デバイス本体２０１の電子回路２７０、２８０、２９０、２９５から分離され、分割された状態を保たせることができる別の方法である。第２の実施形態のモバイル電子デバイス２００Ｂは、スイッチ２６０を利用して電子的に分離及び分割を実施するモバイル電子デバイスの実施例である。
【０１４９】
スイッチ２６０が、機械的、物理的、論理的、及び／又は、デジタルでありえることが理解されよう。例えば、スイッチ２６０は、作動し／実行されるときに、電子回路２７０、２８０、２９０、２９５から電子回路２１０、２２０、２３０、２４０、２５０、２５５、２１１の仮想的な分割／分離を実施する、モバイル電子デバイス２００上で実行する適切なソフトウェアアプリケーションの形態とすることができる。
【０１５０】
デジタル／論理的決済カード１１０の電子回路２１０、２２０、２３０、２４０、２５０、２５５、２１１、及び、モバイル電子デバイス本体２０１の電子回路２７０、２８０、２９０、２９５は、同じ物理的なハードウェア／回路を共有することもできる。この場合、分割／分離は、例えば仮想マシンを用いて、ソフトウェア／論理的分割を通じて成し遂げられる。
【０１５１】
デジタル／論理的決済カード１１０は、複数の固有のＰＡＮを生成するために用いる複数のカード索引番号をその中に保存し、デジタル／論理的決済カード１１０上の各事前設定のためのものは、決済方式アカウントとリンク可能である。各ＰＡＮは、ウォレットサーバ１１０に保存される決済方式アカウントと一致する。カード索引番号は、カード番号２０８の可変的な数字の代わりになるときに、決済規格によってウォレットカード１１０に発行されたＰＡＮを形成し、事前設定がユーザ１２０によって押されたウォレットサーバ１３０を識別する。従って、ウォレットサーバ１３０は、識別された事前設定に対応する決済方式アカウントの実際のアカウント詳細を検索することが可能であり、実際のアカウントの詳細を、処理のために適切な金融システム１０５Ａ〜Ｄに提示する。
【０１５２】
ＰＡＮは、決済規格、例えば、Ｍａｓｔｅｒｃａｒｄ（登録商標）規格に準拠する。ＰＡＮは、標準プロバイダ（例えば、Ｍａｓｔｅｒｃａｒｄ（登録商標））によって要求される番号の範囲から、ウォレットプロバイダによって選択され、したがって、各ＰＡＮは、いかなるＰＯＳデバイス、又は規格を受け入れる決済システムによっても、判別可能な有効な番号である。本発明の好ましい形態では、１０個まで有効なＰＡＮは、各デジタル／論理的決済カード１１０によって発行されたウォレットプロバイダによって選択される。
【０１５３】
販売業者／ＰＯＳデバイスの観点から、ユーザ１２０は、異なる決済方式が、取引を実施するために、ウォレットサーバ１３０によって交信される場合であっても、ＰＡＮ（例えば、Ｍａｓｔｅｒｃａｒｄ（登録商標））によって表される決済方式によって、取引を果たしている。従って、本発明は、更に、販売業者１５５が、その決済方式によって取引を受け入れない場合でも、ユーザ１２０が、例えば、Ａｍｅｒｉｃａｎ  Ｅｘｐｒｅｓｓ（登録商標）のような、あまり広く受け入れられていないが、好適な決済方式によって支払うことできる。
【産業上の利用可能性】
【０１５４】
本発明の利点としては、ユーザがすでに所有するか、又は必要する可能性のある単一のデバイスから、ユーザがアカウントを有する任意の決済方式を用いて取引を行う能力が挙げられる。したがって、ユーザはもはや、彼らの複数のカード、又はいかなるカードも全く携帯する必要はない。
【０１５５】
さらに、本発明は、ユーザが、販売業者が受け入れない決済方式を用いて、販売業者と事実上取引をすることができる。したがって、より良好な動機をユーザに提供するのに役立つが、広く受け入れられていない、Ｄｉｎｅｒｓ  Ｃｌｕｂ（登録商標）、及びＡｍｅｒｉｃａｎ  Ｅｘｐｒｅｓｓ（登録商標）のような決済方式は、このような決済方式を受け入れない販売業者で、ユーザにより依然として用いられる。
【０１５６】
本発明は、更に、協同の必要性、又は各種決済方式との一致を不要にする。それ故、本発明によって提示される技術的解決策によって、事業の観点から、実行不可能な解決策でなければ実行可能になる。
【０１５７】
変形形態
前述のものが、本発明の例示する実施例として与えられると共に、当業者にとって明らかであろう、このような及び他の修正変更のそのすべては、本明細書に記載されているように、本発明の広い範囲や領域に入るとみなされることが当然明確に理解されるであろう。
【０１５８】
本明細書の説明及び特許請求の範囲の全体にわたって、用語「備える（ｃｏｍｐｒｉｓｅ）」及び「備える（ｃｏｍｐｒｉｓｅｓ）」及び「備えている（ｃｏｍｐｒｉｓｉｎｇ）」のようなその用語の変化は、他の付加物、構成要素、整数、又は工程を除外することを意図していない。
【図１】
2019502984.tif 000004
【図２Ａ】
2019502984.tif 000005
【図２Ｂ】
2019502984.tif 000006
【図３Ａ】
2019502984.tif 000007
【図３Ｂ】
2019502984.tif 000008
【図４】
2019502984.tif 000009
【図５】
2019502984.tif 000010
【図６】
2019502984.tif 000011
【図７】
2019502984.tif 000012
【図８】
2019502984.tif 000013
【図９】
2019502984.tif 000014
【図１０】
2019502984.tif 000015
【図１１】
2019502984.tif 000016
【図１２】
2019502984.tif 000017
【図１３】
2019502984.tif 000018
【図１４Ａ】
2019502984.tif 000019
【図１４Ｂ】
2019502984.tif 000020
【図１５】
2019502984.tif 000021
【手続補正書】
【提出日】平成29年9月4日(2017.9.4)
【手続補正１】
【補正対象書類名】特許請求の範囲
【補正対象項目名】全文
【補正方法】変更
【補正の内容】
【特許請求の範囲】
【請求項１】
使用目的を実行するように構成され、前記使用目的に加えて金融取引を果たすように更に構成されたモバイル電子デバイスであって、当該デバイスが：
前記使用目的の実行を容易にするように構成された電子回路の第１のグループと；
前記金融取引を実施するように構成された電子回路の第２のグループと、を含み、
前記電子回路の第１のグループは、前記電子回路の第２のグループから、通信に関して分離され、
電子回路の前記第２のグループは、前記金融取引を認証するためのワンタイムパスコード（ＯＴＰ）を生成し、前記生成されたＯＴＰを前記モバイル電子デバイスのディスプレイに表示するように操作可能である、デバイス。
【請求項２】
電子回路の前記第１のグループへ／からの入出力を可能にする場合、電子回路の前記第２のグループへ／からの入出力が拒否される、請求項１に記載のデバイス。
【請求項３】
電子回路の前記第２のグループは、ＥＭＶ（Ｅｕｒｏｐａｙ、Ｍａｓｔｅｒｃａｒｄ、Ｖｉｓａ）規格の集積回路を含んで、前記ＥＭＶ決済規格を用いた金融取引を実施する、請求項１又は２に記載のデバイス。
【請求項４】
電子回路の前記第２のグループは、その中に電子チップを着脱自在に収容するのに適合した電子ドックを含み、前記電子チップが、前記第２のグループの前記電子回路の一部又は全部を含む、請求項１に記載のデバイス。
【請求項５】
電子回路の前記第１のグループへ／から入出力を可能にする第１の操作モードと、電子回路の前記第２のグループへ／から入出力を可能にする第２の操作モードとの間の切り替え用スイッチを更に備える、請求項１に記載のデバイス。
【請求項６】
電子回路の前記第２のグループからその入出力を可能にすると同時に、電子回路の前記第１のグループへ／から入出力を可能にする、請求項１に記載のデバイス。
【請求項７】
電子回路の前記第１のグループが、近距離無線通信（ＮＦＣ）受信機を備え、電子回路の前記第２のグループが、ＮＦＣ送信機を備え、更に、電子回路の前記第２のグループが、ＮＦＣ通信を介して電子回路の前記第１のグループにデータを伝達するように操作可能である、請求項１に記載のデバイス。
【請求項８】
電子回路の前記第１のグループが、論理的仮想マシンアーキテクチャを経由して、電子回路の前記第２のグループから、通信に関して分離される、請求項１に記載のデバイス。
【請求項９】
電子回路の前記第１のグループが、物理的分割によって、電子回路の前記第２のグループから通信に関して分離される、請求項１に記載のデバイス。
【請求項１０】
電子回路の前記第２のグループが、ＮＦＣを介して前記ＯＴＰを一斉送信するように操作可能であり、電子回路の前記第１のグループが、ＯＰＴのためのＮＦＣ一斉送信をモニタするように操作可能である、請求項７に記載のデバイス。
【請求項１１】
使用目的を実行するように構成され、前記使用目的に加えて金融取引を実施するように更に構成されたモバイル電子デバイスであって、当該デバイスが：
前記使用目的の実行を容易にするように構成された電子回路の第１のグループと；
前記金融取引を実施するように構成された電子回路の第２のグループと、を含み、
前記電子回路の第１のグループは、前記電子回路の第２のグループから、通信に関して分離され、
電子回路の前記第１のグループが、近距離無線通信（ＮＦＣ）受信機を備え、電子回路の前記第２のグループが、ＮＦＣ送信機を備え、更に、電子回路の前記第２のグループが、ＮＦＣ通信を介して電子回路の第１のグループにデータを伝達するように操作可能である、デバイス。
【請求項１２】
使用目的を実行するように構成され、前記使用目的に加えて金融取引を実施するように更に構成されたモバイル電子デバイスであって、当該デバイスが：
前記使用目的の実行を容易にするように構成された電子回路の第１のグループと；
前記金融取引を実施するように構成された電子回路の第２のグループと、を含み、
前記電子回路の第１のグループは、前記電子回路の第２のグループから、通信に関して分離され、
電子回路の前記第２のグループは、その中に電子チップを着脱自在に収容するのに適合した電子ドックを含み、前記電子チップが、前記第２のグループの前記電子回路の一部又は全部を含む、デバイス。
【請求項１３】
使用目的を実行するように構成され、前記使用目的に加えて金融取引を実施するように更に構成されたモバイル電子デバイスであって、当該デバイスが：
前記使用目的の実行を容易にするように構成された電子回路の第１のグループと；
前記金融取引を実施するように構成された電子回路の第２のグループと、を含み、
電子回路の前記第２のグループは、前記金融取引を認証するためのワンタイムパスコード（ＯＴＰ）を生成し、ＮＦＣを介して前記ＯＴＰを一斉送信するように操作可能であり、
電子回路の前記第１のグループが、ＯＰＴのためのＮＦＣ一斉送信をモニタするように操作可能である、デバイス。
【国際調査報告】
2019502984.tif 000022
2019502984.tif 000023
2019502984.tif 000024
2019502984.tif 000025
2019502984.tif 000026
2019502984.tif 000027
2019502984.tif 000028
2019502984.tif 000029
2019502984.tif 000030
2019502984.tif 000031
2019502984.tif 000032